(57)【要約】【課題】庫内熱交換器及び庫外熱交換器のそれぞれの熱交換効率の向上を図ること。【解決手段】本体キャビネット１の内部における密閉された断熱構造の商品収容庫２に設置され、庫内冷媒通路管２１１を通過する冷媒と商品収容庫２の内部空気とを庫内コルゲートフィン２１４を介して熱交換させる庫内熱交換器２１と、本体キャビネット１の内部における商品収容庫２の外部に設置され、庫外冷媒通路管２３１を通過する冷媒と外部空気とを庫外コルゲートフィン２３４を介して熱交換させる庫外熱交換器２３とを備えた自動販売機において、庫内コルゲートフィン２１４は、内部空気の通風路２１４ｂを形成する庫内中間壁部２１４１に内部空気の通過方向に沿って所定間隔毎に切り起こし状に形成され、かつ内部空気を蛇行状に通過させるルーバー２１４２を有し、庫外コルゲートフィン２３４は、ルーバーを有しない。【選択図】図２
2018132247.tif 000002
【特許請求の範囲】
【請求項１】
自動販売機本体の内部における密閉された断熱構造の商品収容庫に設置され、かつ自身の冷媒流路を通過する冷媒と、前記商品収容庫の内部空気とを前記冷媒流路に熱的に接続されたフィン部材を介して熱交換させる庫内熱交換器と、
前記自動販売機本体の内部における前記商品収容庫の外部に設置され、かつ自身の冷媒流路を通過する冷媒と、周囲の外部空気とを前記冷媒流路に熱的に接続されたフィン部材を介して熱交換させる庫外熱交換器と
を備えた自動販売機において、
前記庫内熱交換器のフィン部材は、前記内部空気の通風路を形成する庫内中間壁部に該内部空気の通過方向に沿って所定間隔毎に切り起こし状に形成され、かつ前記内部空気を蛇行状に通過させるルーバーを有し、
前記庫外熱交換器のフィン部材は、前記ルーバーを有しないことを特徴とする自動販売機。
【請求項２】
前記ルーバーは、前記庫内中間壁部を介して一方側から他方側に前記内部空気を案内する第１ルーバー部と、他方側から一方側に前記内部空気を案内する第２ルーバー部とが前記内部空気の通過方向に沿って、複数個ごとに交互に形成されてなることを特徴とする請求項１に記載の自動販売機。
【請求項３】
前記庫外熱交換器のフィン部材は、前記外部空気の通過路を構成する庫外中間壁部が該外部空気の通過方向に沿って波形状に構成されたことを特徴とする請求項１又は請求項２に記載の自動販売機。
【請求項４】
前記庫内熱交換器は、前記冷媒流路及び前記フィン部材がアルミニウムにより構成されたことを特徴とする請求項１〜３のいずれか１つに記載の自動販売機。
【請求項５】
前記庫外熱交換器は、前記冷媒流路及び前記フィン部材がアルミニウムにより構成されたことを特徴とする請求項１〜４のいずれか１つに記載の自動販売機。
【請求項６】
前記庫内熱交換器及び前記庫外熱交換器の冷媒流路は、複数の冷媒通路が並設された扁平状を成し、かつ一端が入口ヘッダに接続されるとともに他端が出口ヘッダに接続された状態で左右に蛇行する多穴管チューブにより構成されたことを特徴とする請求項１〜５のいずれか１つに記載の自動販売機。
【請求項７】
前記庫内熱交換器及び前記庫外熱交換器のフィン部材は、前記多穴管チューブの水平延在部にロウ付けされて接合されたことを特徴とする請求項６に記載の自動販売機。
【請求項８】
前記庫内熱交換器及び前記庫外熱交換器のフィン部材は、空気の通過方向に直交する方向に沿って上下に湾曲して波形状に形成され、かつ前記水平延在部に自身の湾曲部外部がロウ付けされて接合されたことを特徴とする請求項７に記載の自動販売機。
【請求項９】
前記庫外熱交換器のフィン部材は、前記外部空気の通過方向に直交する方向に沿って形成された波形状のピッチの距離が８ｍｍであり、前記庫外中間壁部の波形状の頂部の高さが０．６ｍｍであることを特徴とする請求項８に記載の自動販売機。
【発明の詳細な説明】
【技術分野】
【０００１】
本発明は、自動販売機に関するものである。
【背景技術】
【０００２】
従来、例えば缶入り飲料やペットボトル入り飲料等の商品を販売する自動販売機は、本体キャビネット及び熱交換器を備えている。
【０００３】
本体キャビネットは、前面に開口を有した直方状の自動販売機本体であり、その前面開口が前方側の一側延部に支承された扉体により開閉される。このような本体キャビネットは、内部に断熱構造の商品収容庫を有している。商品収容庫は、本体キャビネットの前面開口を臨む態様で本体キャビネットの内部に画成されており、該前面開口が扉体により閉塞される場合に密閉されるものである。
【０００４】
熱交換器は、庫内熱交換器と庫外熱交換器とを有している。庫内熱交換器は、商品収容庫の内部に設置されている。庫外熱交換器は、本体キャビネットの内部であるが商品収容庫の外部、すなわち機械室に設置されている。これら庫内熱交換器及び庫外熱交換器は、圧縮機や膨張機構と冷媒管路を通じて接続されることにより冷媒を循環させる冷凍サイクルを構成している。
【０００５】
かかる冷凍サイクルにおいて、圧縮機が駆動することにより、圧縮機で圧縮された冷媒が庫外熱交換器、膨張機構及び庫内熱交換器の順に循環する場合、庫外熱交換器では、圧縮機で圧縮された冷媒と周囲を通過する外部空気とを熱交換させて該冷媒を放熱させ、膨張機構では、庫外熱交換器で放熱した冷媒を減圧させて断熱膨張させる。そして、庫内熱交換器では、膨張機構で断熱膨張した冷媒と商品収容庫の内部空気とを熱交換させて該冷媒が蒸発することで内部空気を冷却する。このようにして、上記自動販売機では、商品収容庫の内部に収納された商品を冷却することができる。
【０００６】
そして、上記熱交換器として、冷媒が通過する冷媒流路に熱的に接続させたフィン部材を設け、このフィン部材に所定間隔毎に切り起こし状に形成されたルーバーが設けられたものが提案されている（例えば、特許文献１参照）。
【先行技術文献】
【特許文献】
【０００７】
【特許文献１】特開２００５−３７００２号公報
【発明の概要】
【発明が解決しようとする課題】
【０００８】
上述した熱交換器においては、ルーバーが空気を蛇行状に通過させることにより、該空気との接触面積を増大させることができ、これにより、該空気と冷媒との熱交換効率の向上を図ることができる。
【０００９】
そこで、かかるルーバーが設けられた熱交換器を庫内熱交換器として適用すれば、商品収容庫の内部空気との接触面積の増大により、内部空気と冷媒との熱交換効率の向上を図ることができる。
【００１０】
しかしながら、このようなルーバーが設けられた熱交換器を庫外熱交換器として適用すると、庫外熱交換器の周囲を通過する空気は、本体キャビネットの外部から取り込まれるものであるから、ルーバーの隙間等に塵埃物が詰まってしまい、周囲を通過する空気の風量を低減させてしまうことがあった。このような風量の低減は、熱交換効率の低下を招来し、好ましくない。
【００１１】
本発明は、上記実情に鑑みて、庫内熱交換器及び庫外熱交換器のそれぞれの熱交換効率の向上を図ることができる自動販売機を提供することを目的とする。
【課題を解決するための手段】
【００１２】
上記目的を達成するために、本発明に係る自動販売機は、自動販売機本体の内部における密閉された断熱構造の商品収容庫に設置され、かつ自身の冷媒流路を通過する冷媒と、前記商品収容庫の内部空気とを前記冷媒流路に熱的に接続されたフィン部材を介して熱交換させる庫内熱交換器と、前記自動販売機本体の内部における前記商品収容庫の外部に設置され、かつ自身の冷媒流路を通過する冷媒と、周囲の外部空気とを前記冷媒流路に熱的に接続されたフィン部材を介して熱交換させる庫外熱交換器とを備えた自動販売機において、前記庫内熱交換器のフィン部材は、前記内部空気の通風路を形成する庫内中間壁部に該内部空気の通過方向に沿って所定間隔毎に切り起こし状に形成され、かつ前記内部空気を蛇行状に通過させるルーバーを有し、前記庫外熱交換器のフィン部材は、前記ルーバーを有しないことを特徴とする。
【００１３】
また本発明は、上記自動販売機において、前記ルーバーは、前記庫内中間壁部を介して一方側から他方側に前記内部空気を案内する第１ルーバー部と、他方側から一方側に前記内部空気を案内する第２ルーバー部とが前記内部空気の通過方向に沿って、複数個ごとに交互に形成されてなることを特徴とする。
【００１４】
また本発明は、上記自動販売機において、前記庫外熱交換器のフィン部材は、前記外部空気の通過路を構成する庫外中間壁部が該外部空気の通過方向に沿って波形状に構成されたことを特徴とする。
【００１５】
また本発明は、上記自動販売機において、前記庫内熱交換器は、前記冷媒流路及び前記フィン部材がアルミニウムにより構成されたことを特徴とする。
【００１６】
また本発明は、上記自動販売機において、前記庫外熱交換器は、前記冷媒流路及び前記フィン部材がアルミニウムにより構成されたことを特徴とする。
【００１７】
また本発明は、上記自動販売機において、前記庫内熱交換器及び前記庫外熱交換器の冷媒流路は、複数の冷媒通路が並設された扁平状を成し、かつ一端が入口ヘッダに接続されるとともに他端が出口ヘッダに接続された状態で左右に蛇行する多穴管チューブにより構成されたことを特徴とする。
【００１８】
また本発明は、上記自動販売機において、前記庫内熱交換器及び前記庫外熱交換器のフィン部材は、前記多穴管チューブの水平延在部にロウ付けされて接合されたことを特徴とする。
【００１９】
また本発明は、上記自動販売機において、前記庫内熱交換器及び前記庫外熱交換器のフィン部材は、空気の通過方向に直交する方向に沿って上下に湾曲して波形状に形成され、かつ前記水平延在部に自身の湾曲部外部がロウ付けされて接合されたことを特徴とする。
【００２０】
また本発明は、上記自動販売機において、前記庫外熱交換器のフィン部材は、前記外部空気の通過方向に直交する方向に沿って形成された波形状のピッチの距離が８ｍｍであり、前記庫外中間壁部の波形状の頂部の高さが０．６ｍｍであることを特徴とする。
【発明の効果】
【００２１】
本発明によれば、庫内熱交換器のフィン部材は、内部空気の通風路を形成する庫内中間壁部に該内部空気の通過方向に沿って所定間隔毎に切り起こし状に形成され、かつ内部空気を蛇行状に通過させるルーバーを有しているので、内部空気との熱交換効率の向上を図ることができる。そして、庫外熱交換器のフィン部材は、ルーバーを有しないので、通過する外部空気に含まれる塵埃物による目詰まり等が生ずる虞れがなく、通過する外部空気の風量を低下させてしまうことがない。従って、庫内熱交換器及び庫外熱交換器のそれぞれの熱交換効率の向上を図ることができるという効果を奏する。
【図面の簡単な説明】
【００２２】
【図１】図１は、本発明の実施の形態である自動販売機を示す断面側面図である。
【図２】図２は、図１に示した自動販売機に適用される冷凍サイクルを示す斜視図である。
【図３】図３は、図１及び図２に示した庫内熱交換器を示す正面図である。
【図４】図４は、図３におけるＡ−Ａ線断面図である。
【図５】図５は、図３に示した１つの庫内コルゲートフィンを示す斜視図である。
【図６】図６は、図５に示した庫内コルゲートフィンの要部を示す拡大斜視図である。
【図７】図７は、図５に示した庫内コルゲートフィンの要部を示す拡大斜視図である。
【図８】図８は、図５に示した庫内コルゲートフィンの要部を示す拡大斜視図である。
【図９】図９は、図１及び図２に示した庫外熱交換器を示す正面図である。
【図１０】図１０は、図９におけるＢ−Ｂ線断面図である。
【図１１】図１１は、図９に示した１つの庫外コルゲートフィンを示す斜視図である。
【図１２】図１２は、図１１に示した庫外コルゲートフィンの要部を示す拡大斜視図である。
【図１３】図１３は、図１１に示した庫外コルゲートフィンの要部を示す拡大正面図である。
【図１４】図１４は、図９に示した庫外熱交換器と、庫外中間壁部が波形状に形成されずにフラット形状に形成された庫外熱交換器とについて、風量に対する熱コンダクタンスの変化を示す図表である。
【発明を実施するための形態】
【００２３】
以下に添付図面を参照して、本発明に係る自動販売機の好適な実施の形態について詳細に説明する。
【００２４】
図１は、本発明の実施の形態である自動販売機を示す断面側面図である。ここで例示する自動販売機は、自動販売機本体である本体キャビネット１を備えている。
【００２５】
本体キャビネット１は、前面に開口（以下、前面開口ともいう）１ａが形成された直方状の形態を成す筐体である。この本体キャビネット１には、商品収容庫２、機械室３、外扉４、内扉５及び冷凍サイクル２０が設けられている。
【００２６】
商品収容庫２は、本体キャビネット１の内部において、断熱板状体である仕切板（図示せず）によって仕切られることで前面開口１ａを臨みつつ左右に並ぶ態様で設けられている。これら商品収容庫２は、缶入り飲料やペットボトル入り飲料等の商品を所望の温度に維持した状態で収容するためのもので、断熱構造を有している。
【００２７】
上記商品収容庫２には、商品収納ラック６、払出機構７及び商品シュータ８が設けられている。商品収納ラック６は、商品を上下方向に沿って並ぶ態様で収納するためのものである。払出機構７は、商品収納ラック６の下部に設けられており、この商品収納ラック６に収納された商品群の最下位にある商品を１つずつ払い出すためのものである。商品シュータ８は、払出機構７から払い出された商品を外扉４に設けられた商品取出口４ａに導くためのものである。
【００２８】
機械室３は、本体キャビネット１の内部において、商品収容庫２と区画されており、該商品収容庫２の下方域に形成された室である。
【００２９】
外扉４は、本体キャビネット１の前面開口１ａを覆うのに十分な大きさを有した扉体であり、本体キャビネット１の前方側の一側縁部に回動可能に支承されている。この外扉４は、回動することにより前面開口１ａを開閉するものである。
【００３０】
内扉５は、商品収容庫２の前面を覆うための上下二分割された断熱扉であり、外扉４よりも内方となる位置において上部側扉５ａは外扉４の一側縁部に開閉可能に設けられ、下部側扉５ｂは本体キャビネット１の一側縁部に開閉可能に設けられている。
【００３１】
これら外扉４及び内扉５により本体キャビネット１の前面開口１ａが閉塞される場合、上記商品収容庫２は密閉される。
【００３２】
図２は、図１に示した自動販売機に適用される冷凍サイクル２０を示す斜視図である。冷凍サイクル２０は、庫内熱交換器２１、圧縮機２２、庫外熱交換器２３及び膨張機構２４が冷媒配管２５を通じて順次接続して構成されており、内部に冷媒が封入されている。
【００３３】
庫内熱交換器２１は、図１に示すように、各商品収容庫２の内部における商品シュータ８の下方域において、該商品収容庫２の背面側に設けられた背面ダクト９の前方側に設置されている。この庫内熱交換器２１は、自身を通過する冷媒と商品収容庫２の内部空気とを熱交換させるものである。かかる庫内熱交換器２１の構成については後述する。
【００３４】
また庫内熱交換器２１の前方側には、庫内送風ファン１０が設置されている。庫内送風ファン１０は、駆動する場合に、商品収容庫２の内部空気を該商品収容庫２の内部で循環、すなわち商品収容庫２の内部空気が背面ダクト９に導入され、該背面ダクト９に導入された内部空気が該背面ダクト９を通過した後に商品収容庫２を通過する態様で内部空気を循環させる送風手段である。これにより、上記庫内熱交換器２１は、庫内送風ファン１０により循環される内部空気、すなわち自身の周囲を後方から前方に向けて流れる内部空気と、自身を通過する冷媒とを熱交換させるものである。
【００３５】
圧縮機２２は、機械室３に設置されている。この圧縮機２２は、吸引口を通じて庫内熱交換器２１の冷媒を吸引し、吸引した冷媒を圧縮して吐出口より吐出するものである。
【００３６】
庫外熱交換器２３は、機械室３に設置されている。つまり、庫外熱交換器２３は、本体キャビネット１の内部における商品収容庫２の外部に設置されている。この庫外熱交換器２３は、圧縮機２２に圧縮されて自身を通過する冷媒と周囲の空気とを熱交換させて、該冷媒を放熱させるものである。かかる庫外熱交換器２３の構成については後述する。
【００３７】
また庫外熱交換器２３の後方側には、庫外送風ファン１１が設置されている。庫外送風ファン１１は、駆動する場合に、機械室３に外部空気を吸い込んで庫外熱交換器２３の周囲で前方から後方に向けて通過させる送風手段である。これにより、上記庫外熱交換器２３は、庫外送風ファン１１により自身の周囲を前方から後方に向けて通過する外部空気と、自身を通過する冷媒とを熱交換させるものである。
【００３８】
膨張機構２４は、例えばキャピラリーチューブ等により構成されており、庫外熱交換器２３で放熱した冷媒を減圧して断熱膨張させるものである。この膨張機構２４は、断熱膨張させた冷媒を庫内熱交換器２１に供給するものである。
【００３９】
このような冷凍サイクル２０で圧縮機２２の駆動によって冷媒を循環させることにより、圧縮機２２で圧縮された冷媒が庫外熱交換器２３で放熱して凝縮し、その後に膨張機構２４で断熱膨張して庫内熱交換器２１を通過する。冷媒が庫内熱交換器２１を通過する際に、商品収容庫２の内部空気との間で熱交換が行われて、該冷媒が蒸発して内部空気を冷却する。蒸発した冷媒は、圧縮機２２に吸引されて冷凍サイクル２０を循環する。
【００４０】
庫内熱交換器２１に冷却された内部空気は、庫内送風ファン１０の駆動により商品収容庫２の内部を循環し、これにより商品収納ラック６に収納された商品が所望の温度（例えば５℃）に冷却されることになる。
【００４１】
図３は、図１及び図２に示した庫内熱交換器２１を示す正面図である。庫内熱交換器２１は、例えばアルミニウムにより形成されており、庫内冷媒通路管２１１と、庫内入口ヘッダ２１２と、庫内出口ヘッダ２１３と、庫内コルゲートフィン（フィン部材）２１４とを備えて構成されている。
【００４２】
庫内冷媒通路管２１１は、図４に示すように、複数の冷媒通路２１１ａが並設された扁平状の管であり、多穴管チューブと称されるものである。この庫内冷媒通路管２１１は、上下方向に沿って左右に蛇行して形成されている。
【００４３】
本実施の形態である庫内冷媒通路管２１１は、複数（図示の例では２つ）設けられており、それぞれが内部空気の通過する方向に沿って並ぶ態様で左右に蛇行して形成されている。かかる庫内冷媒通路管２１１は、冷媒を通過させる冷媒流路を構成している。
【００４４】
庫内入口ヘッダ２１２は、庫内冷媒通路管２１１の入口側端部に接続されており、該庫内冷媒通路管２１１の各冷媒通路２１１ａに連通する態様で設けられている。この庫内入口ヘッダ２１２は、膨張機構２４で断熱膨張され、かつ冷媒配管２５を通じて供給された冷媒を各冷媒通路２１１ａに送出するものである。ここで、庫内入口ヘッダ２１２と該冷媒配管２５とは、該冷媒配管２５の端部を庫内入口ヘッダ２１２に挿入させた状態でロウ付けして接続される。そして、その接続部分を覆う態様でチューブ材２６が密着固定される。このチューブ材２６は、耐水性材料であって、熱収縮機能を有するものである。
【００４５】
庫内出口ヘッダ２１３は、庫内冷媒通路管２１１の出口側端部に接続されており、該庫内冷媒通路管２１１の各冷媒通路２１１ａに連通する態様で設けられている。この庫内出口ヘッダ２１３は、各冷媒通路２１１ａを通過した冷媒を、すなわち熱交換を行って蒸発した冷媒を、圧縮機２２に接続された冷媒配管２５に送出するためのものである。ここで、庫内出口ヘッダ２１３と該冷媒配管２５とは、該冷媒配管２５の端部を庫内出口ヘッダ２１３に挿入させた状態でロウ付けして接続される。そして、その接続部分を覆う態様でチューブ材２６が密着固定される。このチューブ材２６は、耐水性材料であって、熱収縮機能を有するものである。
【００４６】
庫内コルゲートフィン２１４は、それぞれ内部空気の通過方向（前後方向）に直交する方向（左右方向）に沿って上下に湾曲して波形状に形成されている。これら庫内コルゲートフィン２１４は、図３に拡大して示すように、その湾曲部外部２１４ａが庫内冷媒通路管２１１の水平延在部にロウ付けされて接合されている。より詳細に説明すると、庫内冷媒通路管２１１は、互いに平行に延在する水平延在部２１１ｂを有している。そして、庫内コルゲートフィン２１４は、最上位の水平延在部２１１ｂ、最下位の水平延在部２１１ｂ、並びに互いに隣接する上流側の水平延在部２１１ｂと下流側の水平延在部２１１ｂとの相互間において、湾曲部外部２１４ａがロウ付けされて接合されることで、庫内冷媒通路管２１１に熱的に接続されている。
【００４７】
図５は、図３に示した１つの庫内コルゲートフィン２１４を示す斜視図である。図６及び図７は、それぞれ図５に示した庫内コルゲートフィン２１４の要部を示す拡大斜視図である。
【００４８】
これら図５等に示すように、庫内コルゲートフィン２１４は、上述したように、内部空気の通過方向（前後方向）に直交する方向（左右方向）に沿って上下に湾曲して波形状に形成されており、前後方向に沿って延在する庫内中間壁部２１４１を有している。
【００４９】
庫内中間壁部２１４１は、内部空気の通風路２１４ｂを形成するものである。この庫内中間壁部２１４１には、内部空気の通過方向（前後方向）に沿って所定間隔毎に所定角度に切り起こし状に形成されたルーバー２１４２が設けられている。
【００５０】
かかるルーバー２１４２は、第１ルーバー部２１４２ａと第２ルーバー部２１４２ｂとが前後方向に沿って複数個（図示の例では３つ）毎に交互に形成されて構成されている。
【００５１】
第１ルーバー部２１４２ａは、庫内中間壁部２１４１を介して左方から右方に内部空気を案内するものである。第２ルーバー部２１４２ｂは、庫内中間壁部２１４１を介して右方から左方に内部空気を案内するものである。
【００５２】
このようなルーバー２１４２は、第１ルーバー部２１４２ａで内部空気を左方から右方に案内し、第２ルーバー部２１４２ｂで内部空気を右方から左方に案内することで、図８に示すように、内部空気を蛇行状に通過させるものである。
【００５３】
このような構成を有する庫内熱交換器２１によれば、庫内コルゲートフィン２１４の庫内中間壁部２１４１に形成されたルーバー２１４２により内部空気を蛇行状に通過させるので、内部空気との接触面積を増大させることができ、熱交換効率の向上を図ることができる。
【００５４】
図９は、図１及び図２に示した庫外熱交換器２３を示す正面図である。庫外熱交換器２３は、例えばアルミニウムにより形成されており、庫外冷媒通路管２３１と、庫外入口ヘッダ２３２と、庫外出口ヘッダ２３３と、庫外コルゲートフィン（フィン部材）２３４とを備えて構成されている。
【００５５】
庫外冷媒通路管２３１は、図１０に示すように、複数の冷媒通路２３１ａが並設された扁平状の管であり、多穴管チューブと称されるものである。この庫外冷媒通路管２３１は、上下方向に沿って左右に蛇行して形成されている。
【００５６】
本実施の形態である庫外冷媒通路管２３１は、複数（図示の例では２つ）設けられており、それぞれが外部空気の通過する方向に沿って並ぶ態様で左右に蛇行して形成されている。かかる庫外冷媒通路管２３１は、冷媒を通過させる冷媒流路を構成している。
【００５７】
庫外入口ヘッダ２３２は、庫外冷媒通路管２３１の入口側端部に接続されており、該庫外冷媒通路管２３１の各冷媒通路２３１ａに連通する態様で設けられている。この庫外入口ヘッダ２３２は、圧縮機２２で圧縮され、かつ冷媒配管２５を通じて供給された冷媒を各冷媒通路２３１ａに送出するものである。
【００５８】
ここで、庫外入口ヘッダ２３２と該冷媒配管２５とは、該冷媒配管２５の端部を庫外入口ヘッダ２３２に挿入させた状態でロウ付けして接続される。そして、その接続部分を覆う態様でチューブ材２６が密着固定される。このチューブ材２６は、耐水性材料であって、熱収縮機能を有するものである。
【００５９】
庫外出口ヘッダ２３３は、庫外冷媒通路管２３１の出口側端部に接続されており、該庫外冷媒通路管２３１の各冷媒通路２３１ａに連通する態様で設けられている。この庫外出口ヘッダ２３３は、各冷媒通路２３１ａを通過した冷媒を、すなわち熱交換を行って放熱した冷媒を、膨張機構２４に接続された冷媒配管２５に送出するためのものである。
【００６０】
ここで、庫外出口ヘッダ２３３と該冷媒配管２５とは、該冷媒配管２５の端部を庫外出口ヘッダ２３３に挿入させた状態でロウ付けして接続される。そして、その接続部分を覆う態様でチューブ材２６が密着固定される。このチューブ材２６は、耐水性材料であって、熱収縮機能を有するものである。
【００６１】
庫外コルゲートフィン２３４は、それぞれ外部空気の通過方向（前後方向）に直交する方向（左右方向）に沿って上下に湾曲して波形状に形成されている。これら庫外コルゲートフィン２３４は、図９に拡大して示すように、その湾曲部外部２３４ａが庫外冷媒通路管２３１の水平延在部２３１ｂにロウ付けされて接合されている。より詳細に説明すると、庫外冷媒通路管２３１は、互いに平行に延在する水平延在部２３１ｂを有している。そして、庫外コルゲートフィン２３４は、最上位の水平延在部２３１ｂ、最下位の水平延在部２３１ｂ、並びに互いに隣接する上流側の水平延在部２３１ｂと下流側の水平延在部２３１ｂとの相互間において、湾曲部外部２３４ａがロウ付けされて接合されることで、庫外冷媒通路管２３１に熱的に接続されている。
【００６２】
図１１は、図９に示した１つの庫外コルゲートフィン２３４を示す斜視図である。図１２は、図１１に示した庫外コルゲートフィン２３４の要部を示す拡大斜視図である。
【００６３】
これら図１１等に示すように、庫外コルゲートフィン２３４は、上述したように、外部空気の通過方向（前後方向）に直交する方向（左右方向）に沿って上下に湾曲して波形状に形成されており、前後方向に沿って延在する庫外中間壁部２３４１を有している。
【００６４】
庫外中間壁部２３４１は、外部空気の通風路２３４ｂを形成するものである。この庫外中間壁部２３４１は、外部空気の通過方向（前後方向）に沿って左右に湾曲して波形状に形成されている。
【００６５】
かかる庫外コルゲートフィン２３４においては、図１３に示すように、外部空気の通過方向に直交する方向（左右方向）に沿って形成された波形状のピッチの距離ａが８ｍｍであり、庫外中間壁部２３４１の波形状の頂部２３４１ｂの高さｂが０．６ｍｍであることが好ましい。ここで庫外中間壁部２３４１における波形状の頂部２３４１ｂの高さｂは、庫外中間壁部２３４１の基準面２３４１ａと頂部２３４１ｂとの離間距離である。
【００６６】
図１４は、図９に示した庫外熱交換器２３と、庫外中間壁部が波形状に形成されていないフラット形状の庫外熱交換器（以下、比較用庫外熱交換器とも称する）とについて、風量（ｍ3／ｍｉｎ）に対する熱コンダクタンス（Ｗ／Ｋ）の変化を示す図表である。
【００６７】
比較用庫外熱交換器は、庫外中間壁部が波形状に形成されずにフラット形状に形成された以外は、庫外熱交換器２３と同程度の寸法を有している。また熱コンダクタンス（Ｗ／Ｋ）は、一定面積に一定時間当たりに流れる熱量、つまり熱の伝わり易さを示し、庫外熱交換器２３及び比較用庫外熱交換器のそれぞれの入口側の外部流体と出口側の外部流体との温度差により算出される。図１４においては、庫外熱交換器２３の風量に対する熱コンダクタンスの変化を「イ」で示し、比較用庫外熱交換器の風量に対する熱コンダクタンスの変化を「ロ」で示す。この図１４に示す通り、庫外熱交換器２３の方が比較用庫外熱交換器に対して、熱コンダクタンスが大きくなっている。
【００６８】
このように各風量において庫外熱交換器２３の方が比較用庫外熱交換器よりも熱コンダクタンスが大きいことは、庫外熱交換器２３の方が比較用庫外熱交換器よりも冷媒を放熱させていることを意味する。
【００６９】
従って、上記構成を有する庫外熱交換器２３によれば、庫外中間壁部２３４１が波形状に形成されるとともに、ピッチや頂部２３４１ｂの高さが上記寸法を有することにより、外部空気を良好に通過させつつ、該外部空気との接触面積を増大させて冷媒と外部空気との熱交換効率の向上を図ることができる。
【００７０】
以上説明したように、本実施の形態である自動販売機によれば、庫内熱交換器２１の庫内コルゲートフィン２１４には内部空気を蛇行状に通過させるルーバー２１４２が庫外中間壁部２３４１に形成されているので、内部空気との熱交換効率の向上を図ることができる。そして、庫外熱交換器２３の庫外コルゲートフィン２３４にはルーバー２１４２が形成されていないので、通過する外部空気に含まれる塵埃物による目詰まり等が生ずる虞れがなく、通過する外部空気の風量を低下させてしまうことがない。従って、庫内熱交換器２１及び庫外熱交換器２３のそれぞれの熱交換効率の向上を図ることができる。
【００７１】
上記自動販売機によれば、庫外熱交換器２３の庫外コルゲートフィン２３４が、外部空気の通過方向に直交する方向に沿って形成された波形状のピッチの距離を８ｍｍとし、庫外中間壁部２３４１の波形状の頂部２３４１ｂの高さを０．６ｍｍとしたことにより、外部空気を良好に通過させつつ、該外部空気との接触面積を増大させて冷媒と外部空気との熱交換効率の向上を図ることができ、これにより、庫内熱交換器２１及び庫外熱交換器２３のそれぞれの熱交換効率の更なる向上を図ることができる。
【００７２】
以上、本発明の好適な実施の形態について説明したが、本発明はこれに限定されず種々の変更を行うことができる。
【００７３】
上述した実施の形態では、庫内熱交換器２１の庫内冷媒通路管２１１及び庫外熱交換器２３の庫外冷媒通路管２３１が多穴管チューブにより形成されていたが、本発明においては、庫内熱交換器及び庫外熱交換器の冷媒流路としては様々な形態を採用してもよい。
【符号の説明】
【００７４】
１  本体キャビネット
１ａ  前面開口
２  商品収容庫
３  機械室
４  外扉
２０  冷凍サイクル
２１  庫内熱交換器
２１１  庫内冷媒通路管
２１１ａ  冷媒通路
２１１ｂ  水平延在部
２１２  庫内入口ヘッダ
２１３  庫内出口ヘッダ
２１４  庫内コルゲートフィン（フィン部材）
２１４ａ  湾曲部外部
２１４ｂ  通風路
２１４１  庫内中間壁部
２１４２  ルーバー
２１４２ａ  第１ルーバー部
２１４２ｂ  第２ルーバー部
２３  庫外熱交換器
２３１  庫外冷媒通路管
２３１ａ  冷媒通路
２３１ｂ  水平延在部
２３２  庫外入口ヘッダ
２３３  庫外出口ヘッダ
２３４  庫外コルゲートフィン（フィン部材）
２３４ａ  湾曲部外部
２３４ｂ  通風路
２３４１  庫外中間壁部
２３４１ａ  基準面
２３４１ｂ  頂部
【図１】
2018132247.tif 000003
【図２】
2018132247.tif 000004
【図３】
2018132247.tif 000005
【図４】
2018132247.tif 000006
【図５】
2018132247.tif 000007
【図６】
2018132247.tif 000008
【図７】
2018132247.tif 000009
【図８】
2018132247.tif 000010
【図９】
2018132247.tif 000011
【図１０】
2018132247.tif 000012
【図１１】
2018132247.tif 000013
【図１２】
2018132247.tif 000014
【図１３】
2018132247.tif 000015
【図１４】
2018132247.tif 000016